(57)【要約】【課題】高密度ＩＥＥＥ８０２．１１ワイヤレスシステムのＥＤＣＡ動作を変更するための技術を含むワイヤレス通信システムを提供する。【解決手段】本発明は、短いパケットの高密度シナリオのためのワイヤレス通信技術に関する。ある実施形態によれば、ワイヤレス装置は、ワイヤレス媒体が第１の期間中に短いパケットの混雑状態を経験しているかどうか決定する。ワイヤレス装置は、ワイヤレス媒体が短いパケットの混雑状態を経験しているかどうかに少なくとも一部分基づいて少なくとも第１の動作モード及び第２の動作モードから動作モードを選択する。ワイヤレス装置は、その選択された動作モードに従ってワイヤレス媒体を経てワイヤレス通信を遂行する。【選択図】図４
2015177545.tif 000002
【特許請求の範囲】
【請求項１】
無線と；
処理要素と；
を備え、前記無線及び処理要素は、
第１の期間中に第１の動作モードに従ってＷｉ−Ｆｉネットワークを経てＷｉ−Ｆｉ通信を遂行し；
Ｗｉ−Ｆｉネットワークを監視し、該監視は、Ｗｉ−Ｆｉネットワークを経て通信されるＷｉ−Ｆｉパケットを検出することを含み、
各検出されたＷｉ−Ｆｉパケットに対してパケット長さを決定し；
第１の期間中にパケット長さが第１のパケット長さスレッシュホールド未満である前記検出されたＷｉ−Ｆｉパケットの数が第１のスレッシュホールド数より大きいかどうか決定し；
第１の期間中にパケット長さが第１のパケット長さスレッシュホールド未満である前記検出されたＷｉ−Ｆｉパケットの数が第１のスレッシュホールド数より大きい場合には、第２の期間中に第２の動作モードに従ってＷｉ−Ｆｉネットワークを経てＷｉ−Ｆｉ通信を遂行し、前記第２の期間は、前記第１の期間に続くものであり；及び
第１の期間中にパケット長さが第１のパケット長さスレッシュホールド未満である前記検出されたＷｉ−Ｆｉパケットの数が第１のスレッシュホールド数より小さい場合には、第２の期間中に第１の動作モードに従ってＷｉ−Ｆｉネットワークを経てＷｉ−Ｆｉ通信を遂行し続ける；
ように構成された、ワイヤレス装置。
【請求項２】
前記無線及び処理要素は、第１の期間中にパケット長さが第１のパケット長さスレッシュホールド未満である前記検出されたＷｉ−Ｆｉパケットの数が第１のスレッシュホールド数より大きい場合に、
第２の期間中にパケット長さが第１のパケット長さスレッシュホールド未満である前記検出されたＷｉ−Ｆｉパケットの数が第２のスレッシュホールド数より小さいかどうか決定し；
第２の期間中にパケット長さが第１のパケット長さスレッシュホールド未満である前記検出されたＷｉ−Ｆｉパケットの数が第２のスレッシュホールド数より小さい場合には、第３の期間中に第１の動作モードに従ってＷｉ−Ｆｉネットワークを経てＷｉ−Ｆｉ通信を遂行し、前記第３の期間は、前記第２の期間に続くものであり；及び
第２の期間中にパケット長さが第１のパケット長さスレッシュホールド未満である前記検出されたＷｉ−Ｆｉパケットの数が第２のスレッシュホールド数より大きい場合には、第３の期間中に第２の動作モードに従ってＷｉ−Ｆｉネットワークを経てＷｉ−Ｆｉ通信を遂行し続ける；
ように更に構成された、請求項１に記載のワイヤレス装置。
【請求項３】
前記第２のスレッシュホールド数は、前記第１のスレッシュホールド数より小さい、請求項２に記載のワイヤレス装置。
【請求項４】
第１の期間中にパケット長さが第１のパケット長さスレッシュホールド未満である前記検出されたＷｉ−Ｆｉパケットの数が第１のスレッシュホールド数より大きいかどうか決定するために、前記無線及び処理要素は、確認、送信要求及び送信クリアパケットを除外するように更に構成される、請求項１に記載のワイヤレス装置。
【請求項５】
前記第１の動作モードは、アップリンク及びダウンリンクの両ボイスオーバーインターネットプロトコル（ＶｏＩＰ）通信に対してエンハンスト分散型チャンネルアクセス（ＥＤＣＡ）をイネーブルすることを含み、
前記第２の動作モードは、ダウンリンクＶｏＩＰ通信に対してはＥＤＣＡをイネーブルし、そしてアップリンクＶｏＩＰ通信に対してはＥＤＣＡをディスエイブルすることを含む、請求項１に記載のワイヤレス装置。
【請求項６】
ワイヤレス装置により、
第１の期間中にワイヤレス媒体が短いパケットの混雑状態を経験するかどうか決定し；
第１の期間中にワイヤレス媒体が短いパケットの混雑状態を経験するかどうかの前記決定に少なくとも一部分基づき少なくとも第１の動作モード及び第２の動作モードから動作モードを選択し；及び
前記選択された動作モードに従ってワイヤレス媒体を経てワイヤレス通信を遂行する；
ことを含む方法。
【請求項７】
第１の期間中にワイヤレス媒体が短いパケットの混雑状態を経験するかどうかの指示をアクセスポイントから受け取ることを更に含み、
第１の期間中にワイヤレス媒体が短いパケットの混雑状態を経験するかどうかの前記決定は、前記指示に基づく、請求項６に記載の方法。
【請求項８】
第１の期間にわたってワイヤレス媒体を監視して、第１の期間にわたりワイヤレス媒体を経て通信される、長さスレッシュホールドより短い長さのパケットの数を決定することを更に含み、第１の期間中にワイヤレス媒体が短いパケットの混雑状態を経験するかどうかの前記決定は、第１の期間にわたりワイヤレス媒体を経て通信される、長さスレッシュホールドより短い長さのパケットの前記決定された数に少なくとも一部分基づく、請求項６に記載の方法。
【請求項９】
第１の期間中にワイヤレス媒体が短いパケットの混雑状態を経験するかどうかの前記決定は、ワイヤレス媒体が短いパケットの混雑状態を経験するかどうかの以前の決定に少なくとも一部分基づく、請求項８に記載の方法。
【請求項１０】
ワイヤレス媒体は、Ｗｉ−Ｆｉ通信のために使用され、
第１の期間にわたりワイヤレス媒体を経て通信される、長さスレッシュホールドより短い長さのパケットの数を決定するときには、確認、送信要求、及び送信クリアパケットが除外される、請求項８に記載の方法。
【請求項１１】
ワイヤレス媒体を経てワイヤレス通信を遂行することは、ワイヤレス媒体を経てＷｉ−Ｆｉ通信を遂行することを含み、
前記第１の動作モードは、アップリンク及びダウンリンクの両Ｗｉ−Ｆｉ通信に対してエンハンスト分散型チャンネルアクセス（ＥＤＣＡ）をイネーブルすることを含み、
前記第２の動作モードは、ダウンリンクＷｉ−Ｆｉ通信に対してはＥＤＣＡをイネーブルし、そしてアップリンクＷｉ−Ｆｉ通信に対してはＥＤＣＡをディスエイブルすることを含む、請求項６に記載の方法。
【請求項１２】
前記ワイヤレス装置は、ワイヤレス媒体を経てＷｉ−Ｆｉネットワークを形成するアクセスポイント装置であり、前記方法は、更に、
第１の期間中にワイヤレス媒体が短いパケットの混雑状態を経験するかどうかの指示をＷｉ−Ｆｉネットワークのワイヤレス装置に与えることを含む、請求項６に記載の方法。
【請求項１３】
無線と；
処理要素と；
を備え、前記無線及び処理要素は、
短いパケットの高密度トラフィックがＷｉ−Ｆｉネットワークに存在するかどうか決定し；
短いパケットの高密度トラフィックがＷｉ−Ｆｉネットワークに存在する場合には１つ以上の動作特徴をイネーブルし、その１つ以上の動作特徴は、
非ボイストラフィックに対して送信要求（ＲＴＳ）及び送信クリア（ＣＴＳ）の指示を使用すること、又は
ボイストラフィックに対して各分散型整合機能（ＤＣＦ）インターフレームスペース（ＤＩＦＳ）後に第１のスロット数を予約すること、
の１つ以上を含み；及び
短いパケットの高密度トラフィックがＷｉ−Ｆｉネットワークに存在する場合には１つ以上のイネーブルされた動作特徴を使用してＷｉ−Ｆｉネットワークの一部分としてワイヤレス通信を遂行する；
ように構成された、ワイヤレス装置。
【請求項１４】
前記無線及び処理要素は、更に、
短いパケットの高密度トラフィックがＷｉ−Ｆｉネットワークに存在しない場合には、１つ以上の動作特徴をディスエイブルし；及び
短いパケットの高密度トラフィックがＷｉ−Ｆｉネットワークに存在しない場合に１つ以上の動作特徴がディスエイブルされた状態でＷｉ−Ｆｉネットワークの一部分としてワイヤレス通信を遂行する；
ように構成された、請求項１３に記載のワイヤレス装置。
【請求項１５】
前記ワイヤレス装置は、アクセスポイント装置（ＡＰ）であり、１つ以上の動作特徴をイネーブルするために、前記無線及び処理要素は、更に、
１つ以上の動作特徴をイネーブルするための指示をＷｉ−Ｆｉネットワークの１つ以上の移動ステーション（ＳＴＡ）へ送信する；
ように構成された、請求項１３に記載のワイヤレス装置。
【請求項１６】
前記指示は、ビーコン送信の１つ以上のアクセスカテゴリのＡＣＩ／ＡＩＦＳＮフィールドにＢ７ビットを含む、請求項１５に記載のワイヤレス装置。
【請求項１７】
短いパケットの高密度トラフィックがＷｉ−Ｆｉネットワークに存在するかどうか決定するために、前記無線及び処理要素は、更に、
ある期間にわたりＷｉ−Ｆｉネットワークに通信されるパケットのパケット長さを検出し；及び
前記期間にわたりパケット長さスレッシュホールドより短いパケット長さのスレッシュホールド数のパケットがＷｉ−Ｆｉネットワークに通信される場合には、短いパケットの高密度トラフィックがＷｉ−Ｆｉネットワークに存在すると決定する；
ように構成された、請求項１３に記載のワイヤレス装置。
【請求項１８】
前記無線及び処理要素は、更に、
Ｗｉ−Ｆｉネットワークを形成するアクセスポイント装置から、短いパケットの高密度トラフィックがＷｉ−Ｆｉネットワークに存在するかどうかの指示を受け取る；
ように構成された、請求項１３に記載のワイヤレス装置。
【請求項１９】
非ボイストラフィックに対してＲＴＳ及びＣＴＳ指示を使用してワイヤレス通信を遂行するために、前記無線及び処理要素は、更に、
送信すべきパケットがボイスパケットであるか非ボイスパケットであるか決定し；
ＲＴＳを送信し、そしてパケットが非ボイスパケットである場合にはそれを送信する前にＣＴＳを受け取るために待機し；及び
ＲＴＳを送信するか又はＣＴＳがボイスパケットである場合にはそれを受け取るために待機することなく、パケットを送信する；
ように構成された、請求項１３に記載のワイヤレス装置。
【請求項２０】
ボイストラフィックに対して各ＤＩＦＳ後に第１のスロット数を予約してワイヤレス通信を遂行するために、前記無線及び処理要素は、更に、ＤＩＦＳの後に、
送信すべきパケットがボイスパケットであるか非ボイスパケットであるか決定し；
非ボイスパケットである場合にはパケットのためのバックオフカウンタが第１のスロット数より少ないかどうか決定し；及び
第１のスロット数より少なく且つ非ボイスパケットである場合にはバックオフカウンタの値を第１のスロット数より高く増加するようにバックオフカウンタを増加させる；
ように構成された請求項１３に記載のワイヤレス装置。
【発明の詳細な説明】
【技術分野】
【０００１】
本発明は、高密度ＩＥＥＥ８０２．１１ワイヤレスシステムのＥＤＣＡ動作を変更するための技術を含むワイヤレス通信に関する。
【０００２】
（優先権主張）
本出願は、２０１４年３月１３日に出願された“EDCA Operation to Improve VoIP Performance in a Dense Network”と題する米国プロビジョナル特許出願第６１／９５２，２９１号、及び２０１４年３月１３日に出願された“Control Frame Format for EDCA Enhancement”と題する米国プロビジョナル特許出願第６１／９５２，２９３号の優先権の利益を主張するもので、これらは、両方とも、ここに完全且つ充分に述べられているかのように参考として全体が援用される。
【背景技術】
【０００３】
ワイヤレス通信システムは、その使用が迅速に増大している。更に、多数の異なるワイヤレス通信技術及び規格が存在する。ワイヤレス通信規格は、幾つか例を挙げると、ＧＳＭ（登録商標）、ＵＭＴＳ（例えば、ＷＣＤＭＡ（登録商標）又はＴＤ−ＳＣＤＭＡエアインターフェイスに関連した）、ＬＴＥ、ＬＴＥアドバンスト（ＬＴＥ−Ａ）、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）、ＩＥＥＥ８０２．１１（ＷＬＡＮ又はＷｉ−Ｆｉ）、ＩＥＥＥ８０２．１６（ＷｉＭＡＸ）、Ｂｌｕｅｔｏｏｔｈ（登録商標）、等を含む。
【発明の概要】
【発明が解決しようとする課題】
【０００４】
ワイヤレス通信技術は、当然、移動状態のもとで使用するのに適した傾向がある。従って、ワイヤレス通信システムは、存在するワイヤレス装置の数が多くなることもあるし、存在するワイヤレス装置の数が少なくなることもある。少なくとも幾つかのワイヤレス通信技術は、それらのワイヤレス通信技術に従って構成されたワイヤレス通信システムにおける装置の密度に基づいて（種々の他の考えられる理由の中で）変化する性能を示す。例えば、ある構成をもつ装置の密度が低い状態で良好な性能を発揮するワイヤレス通信技術は、同じ構成をもつ装置の密度が高い状態では性能低下を示す。
【課題を解決するための手段】
【０００５】
本書は、特に、比較的高密度のＩＥＥＥ８０２．１１（Ｗｉ−Ｆｉ）ワイヤレス通信システムにおけるワイヤレス装置のためのエンハンスト分散型チャンネルアクセス（ＥＤＣＡ）動作の方法について述べると共に、ここに述べる方法を実施するように構成されたワイヤレス装置について述べる。
【０００６】
ここに述べる技術によれば、ワイヤレス装置は、ワイヤレス通信媒体を監視して、ワイヤレス媒体上に通信されるパケットを検出し、これは、検出された各パケットのパケット長さを決定することを含む。従って、ワイヤレス装置は、ある時間にわたってワイヤレス媒体上に通信される短いパケット（例えば、パケット長さが所定スレッシュホールドに達しないパケット）の数をカウントすることができる。
【０００７】
そのようなパケットが多数通信される場合には、これは、短いパケットで「混雑」した状態と考えられ、従って、ワイヤレス媒体は、短いパケット混雑状態と考えられる。そのようなパケットの通信が少数である場合には、これは、短いパケットが「混雑していない」状態と考えられ、従って、ワイヤレス媒体は、短いパケット非混雑状態と考えられる。
【０００８】
ワイヤレス媒体がどちらの状態にあるかに基づいて、ワイヤレス装置は、種々の考えられる動作モードから適当な動作モードを選択する。動作モードは、ワイヤレス媒体を経て通信するときに使用される種々の特性のいずれかに関連している。１つの可能性として、例えば、Ｗｉ−Ｆｉのような競合ベースの媒体アクセスを使用するワイヤレス通信システムでは、動作モードが媒体アクセスアルゴリズムに関連している。例えば、１つの動作モードは、エンハンスト分散型チャンネルアクセス（ＥＤＣＡ）をアップリンク及びダウンリンクの両通信に対する媒体アクセスアルゴリズムとして使用することを含み、一方、別の動作モードは、ＥＤＣＡをダウンリンク通信のみに対する媒体アクセスアルゴリズムとして使用し且つアップリンク通信にはレガシーＤＣＡを使用することを含む。
【０００９】
別の（付加的な又は代替的な）可能性として、１つ以上の動作特徴がワイヤレス媒体の状態に基づいてイネーブル又はディスエイブルされる。例えば、ワイヤレス媒体が短いパケット混雑状態を受けている場合には、短いパケット非混雑状態よりも短いパケットと長いパケットとの間に衝突が生じる機会が多くなる。従って、ワイヤレス装置は、短いパケット混雑状態のもとでワイヤレス媒体における短い（例えば、ボイス）パケットと長い（例えば、非ボイス）パケットとの間の衝突を減少又は回避するように構成された１つ以上の動作特徴をイネーブルする。
【００１０】
１つの考えられるそのような動作特徴として、Ｗｉ−Ｆｉネットワークの非ボイスパケットに対して送信要求（ＲＴＳ）及び送信クリア（ＣＴＳ）指示の使用が可能となる。ＲＴＳ／ＣＴＳ指示は比較的短いので、そのようなパケットと他の短いパケットとの間の衝突の影響は、比較的僅かで、例えば、そのような衝突の結果、ワイヤレス媒体が比較的短い時間利用不能になるだけであるが、それに対して、短いパケットと長いパケットとの間の衝突の場合には、長いパケットが送信される全時間長さの間、ワイヤレス媒体が利用不能となる。ＲＴＳ／ＣＴＳが成功である場合には、長いパケットと別のパケットが衝突する機会が著しく減少される。
【００１１】
考えられる別のそのような動作特徴として、各分散型整合機能（ＤＣＦ）インターフレームスペース（ＤＩＦＳ）後のあるスロット数が、ボイスパケットとして予約される。例えば、ワイヤレス装置が、送信すべき非ボイスパケットを有し、そしてバックオフカウンタがＤＩＦＳ後のスロットの予約数に達しない場合には、バックオフカウンタは、スロットの予約数以上の数に増加される（それに加えられる）。このように、スロットの予約数だけボイスパケットが送信されることが保証される。非ボイスパケットに対するバックオフカウンタがゼロに到達する時間まで、衝突なくパケットが送信される見込みは、そのような特徴がない場合より高くなる。
【００１２】
必要があれば、いずれかの又は全てのそのような特徴（他の考えられる特徴の中で）を組み合わせて使用してもよい。そのような組み合わせは、長いパケットと短いパケットとの間に衝突を生じるおそれを更に減少し、そして（少なくともある場合には）短いパケット混雑状態において全体的なネットワークスループットを実質的に高めることができる。
【００１３】
異なる動作モード及び／又は異なる動作特徴をワイヤレス媒体の短いパケット状態に基づいて利用することで、少なくとも幾つかの例において全体的なネットワーク効率を改善することができる。例えば、Ｗｉ−Ｆｉの場合には、アップリンク及びダウンリンクの両通信に対してＥＤＣＡを使用することで、短いパケット非混雑状態では優れた全体的性能が与えられるが、ネットワークにおける短いパケットの数が増加するにつれて性能が低下し、一方、ダウンリンク通信に対してＥＤＣＡを使用し且つアップリンク通信に対してレガシーＤＣＡを使用することで、短いパケット混雑状態では優れた全体的性能が与えられるが、短いパケット非混雑状態においてアップリンク及びダウンリンクの両通信に対してＥＤＣＡを使用することにより達成される性能には一致しない。
【００１４】
ここに述べる技術は、これに限定されないが、アクセスポイント装置、セルラー電話、ポータブルメディアプレーヤ、ポータブルゲーム機、タブレットコンピュータ、ウェラブルコンピューティング装置、リモートコントロール、ワイヤレススピーカ、セットトップボックス装置、テレビジョンシステム、及びコンピュータを含む多数の異なる形式の装置において実施され及び／又はそれらと共に使用される。
【００１５】
この概要は、本書に述べる幾つかの要旨の簡単な概略を与えるものである。従って、上述した特徴は、単なる例示に過ぎず、ここに述べる要旨の範囲又は精神を限定するものではない。ここに述べる要旨の他の特徴、態様、及び効果は、以下の詳細な説明、添付図面及び特許請求の範囲から明らかとなるであろう。
【００１６】
好ましい実施形態の以下の詳細な説明を添付図面と共に考慮したときに、本発明の要旨を良く理解することができるであろう。
【図面の簡単な説明】
【００１７】
【図１】ある実施形態による例示的な（及び簡単な）ワイヤレス通信システムを示す。
【図２】ある実施形態による例示的な（及び簡単な）ワイヤレス通信システムを示す。
【図３】ある実施形態による例示的なワイヤレス装置のブロック図である。
【図４】ある実施形態により短いパケット混雑状態がワイヤレス通信媒体に存在するかどうか決定するための例示的な方法の態様を示すフローチャートである。
【図５】ある実施形態により短いパケット混雑状態がワイヤレス通信媒体に存在するかどうか決定するための例示的な方法の態様を示す状態図である。
【図６】ある実施形態により種々のシステム密度において種々のワイヤレス通信システムに対する例示的なシミュレーション結果を示すグラフである。
【図７】ある実施形態により種々のシステム密度において種々のワイヤレス通信システムに対する例示的なシミュレーション結果を示すグラフである。
【図８】ある実施形態により短いパケット混雑状態に特有の動作特徴をイネーブルするための例示的な方法の態様を示すフローチャートである。
【図９】ある実施形態により、ＳＴＡ及びＡＰによって短いパケット混雑状態に特有の動作特徴をイネーブルするための例示的技術の態様を示す状態図である。
【図１０】ある実施形態により、ＳＴＡ及びＡＰによって短いパケット混雑状態に特有の動作特徴をイネーブルするための例示的技術の態様を示す状態図である。
【図１１】ある実施形態により種々のシステム密度において種々のワイヤレス通信システムに対する例示的なシミュレーション結果を示すグラフである。
【図１２】ある実施形態による例示的なコントロールフィールドフォーマットを示す。
【発明を実施するための形態】
【００１８】
ここに述べる特徴は、種々の変更や代替的形態を受け易いが、その特定の実施形態を添付図面に一例として示して、以下に詳細に説明する。しかしながら、添付図面及びそれに対する詳細な説明は、本発明をここに開示する特定の形態に限定するものではなく、逆に、特許請求の範囲により規定された本発明の精神及び範囲に包含される全ての変更、等効物及び代替物を網羅することを意図していることを理解されたい。
【００１９】
用語
本明細書で使用される用語集は、次の通りである。
メモリ媒体：種々のタイプの非一時的コンピュータアクセス可能なメモリ装置又はストレージ装置のいずれか。「メモリ媒体」という用語は、インストール媒体、例えば、ＣＤ−ＲＯＭ、フロッピー（登録商標）ディスク、又はテープ装置；コンピュータシステムメモリ又はランダムアクセスメモリ、例えば、ＤＲＡＭ、ＤＤＲ  ＲＡＭ、ＳＲＡＭ、ＥＤＯ  ＲＡＭ、Ｒａｍｂｕｓ  ＲＡＭ、等；不揮発性メモリ、例えば、フラッシュ、磁気媒体、例えば、ハードドライブ又は光学的ストレージ；レジスタ又は他の同様のタイプのメモリ要素、等を含むことが意図される。メモリ媒体は、他のタイプの非一時的メモリ、及びその組み合わせを含む。加えて、メモリ媒体は、プログラムが実行される第１のコンピュータシステムに配置されるか、又はインターネットのようなネットワークを経て第１のコンピュータシステムに接続される第２の異なるコンピュータシステムに配置される。後者の場合には、第２のコンピュータシステムは、プログラムインストラクションを、実行のために第１のコンピュータに与える。「メモリ媒体」という用語は、異なる位置、例えば、ネットワークを経て接続された異なるコンピュータシステム、に存在する２つ以上のメモリ媒体を含む。メモリ媒体は、１つ以上のプロセッサにより実行されるプログラムインストラクション（例えば、コンピュータプログラムとして実施される）を記憶する。
【００２０】
キャリア媒体：上述したメモリ媒体、並びに物理的な送信媒体、例えば、電気、磁気又はデジタル信号のような信号を搬送するバス、ネットワーク、及び／又は他の物理的送信媒体。
【００２１】
プログラマブルハードウェア要素：プログラム可能な相互接続部を経て接続された複数のプログラム可能な機能ブロックを含む種々のハードウェア装置を備えている。例えば、ＦＰＧＡ（フィールドプログラマブルゲートアレイ）、ＰＬＤ（プログラマブルロジック装置）、ＦＰＯＡ（フィールドプログラマブルオブジェクトアレイ）、及びＣＰＬＤ（コンプレックスＰＬＤ）を含む。プログラマブル機能ブロックは、微細粒度（コンビナトリアルロジック又はルックアップテーブル）から粗い粒度（演算論理ユニット又はプロセッサコア）までの範囲である。プログラム可能なハードウェア要素は、「再構成可能なロジック」とも称される。
【００２２】
コンピュータシステム：パーソナルコンピュータシステム（ＰＣ）、メインフレームコンピュータシステム、ワークステーション、ネットワーク機器、インターネット機器、パーソナルデジタルアシスタント（ＰＤＡ）、パーソナル通信装置、スマートホン、テレビジョンシステム、グリッドコンピューティングシステム、或いは他の装置又は装置の組み合わせを含む種々のタイプのコンピューティング又は処理システムのいずれか。一般的に、「コンピュータシステム」という用語は、メモリ媒体からのインストラクションを実行する少なくとも１つのプロセッサを有する装置（又は装置の組み合わせ）を包含するように広く定義される。
【００２３】
ステーション（ＳＴＡ）：移動又はポータブルであり且つワイヤレス通信を実行する種々のタイプのコンピュータシステム装置のいずれか。ＳＴＡは、例えば、移動電話又はスマートホン（例えば、ｉＰｈｏｎｅTM、ＡｎｄｒｏｉｄTM−ベースの電話）、ポータブルゲーム機（例えば、ＮｉｎｔｅｎｄｏＤＳTM、ＰｌａｙＳｔａｔｉｏｎ  ＰｏｒｔａｂｌｅTM、Ｇａｍｅｂｏｙ  ＡｄｖａｎｃｅTM、ｉＰｈｏｎｅTM）、ラップトップ、ウェアラブル装置（例えば、スマートウオッチ、スマートメガネ）、ＰＤＡ、ポータブルインターネット装置、音楽プレーヤ、データストレージ装置、他のハンドヘルド装置、等を含む。一般的に、「ＳＴＡ」という用語は、ユーザにより容易に持ち運びされそしてワイヤレス通信することのできる電子、コンピューティング及び／又はテレコミュニケーション装置（又は装置の組み合わせ）を包含するように広く定義される。
【００２４】
ベースステーション又はアクセスポイント（ＡＰ）：「ベースステーション」という用語は、全範囲の通常の意味を有するもので、少なくとも、固定位置にインストールされて、ワイヤレス電話システム又は無線システムの一部分として通信するのに使用されるワイヤレス通信ステーションを包含する。
【００２５】
処理要素：種々の要素又は要素の組み合わせを指す。処理要素は、例えば、ＡＳＩＣ（特定用途向け集積回路）のような回路、個々のプロセッサコアの部分又は回路、全プロセッサコア、個々のプロセッサ、フィールドプログラマブルゲートアレイ（ＦＰＧＡ）のようなプログラム可能なハードウェア装置、及び／又は複数のプロセッサを含むシステムの大きな部分を含む。
【００２６】
自動的：アクション又は動作を直接明示し又は遂行するユーザ入力なしに、コンピュータシステム（例えば、コンピュータシステムにより実行されるソフトウェア）或いは装置（例えば、回路、プログラム可能なハードウェア要素、ＡＳＩＣ、等）により遂行されるアクション又は動作を指す。従って、「自動的」という用語は、ユーザが動作を直接遂行するための入力を与えるように、ユーザにより動作が手動で遂行され又は明示されるのとは対照的である。自動的な手順は、ユーザにより与えられた入力によって開始されるが、「自動的に」遂行されるその後のアクションは、ユーザによって明示されず、即ちユーザが遂行すべき各アクションを明示して「手動」で遂行されるのではない。例えば、各フィールドを選択しそして入力明示情報を与える（例えば、情報をタイプし、チェックボックスを選択し、無線を選択し、等により）ことにより電子的フォームを埋めるユーザは、コンピュータシステムがユーザのアクションに応答してフォームを更新しなくてはならなくても、フォームを手動で埋める。フォームは、コンピュータシステムにより自動的に埋められてもよく、この場合、コンピュータシステム（例えば、コンピュータシステムで実行されるソフトウェア）は、フォームのフィールドを分析し、そしてフィールドへの返答を明示するユーザ入力なしにフォームを埋める。上述したように、ユーザは、フォームを自動的に埋めることを求めるが、フォームを実際に埋めることには関与しない（例えば、ユーザは、フィールドへの返答を手動で明示せず、それは、自動的に完成される）。本明細書は、ユーザがとったアクションに応答して自動的に遂行される動作の種々の例について述べる。
【００２７】
ＰＨＹレート又はＰＨＹデータレート：装置が媒体を経て互いに通信するレート。多くのワイヤレス通信技術（ＩＥＥＥ８０２．１１を含む）は、変調タイプ、コードレート、空間的ストリームの数、チャンネル巾、及び／又は他の物理的レイヤ特性を異なる組み合わせで使用する。そのような各組み合わせは、「ＰＨＹレート」を生じる（あるケースでは、そのように称される。又、所与のＰＨＹレートを生じる物理的レイヤ特性の組み合わせは、「変調及びコード化スキーム」、「ＭＣＳ」又は「ＭＣＳインデックス」とも称される。「より低い」又は「より頑健な」ＰＨＹレート／ＭＣＳインデックスは、しばしば潜在的なスループットを犠牲にして、「より高い」又は「あまり頑健でない」ＰＨＹレートよりも、理想に達しない媒体条件のもとで通信される情報を首尾良く受け取る高い能力を受信者に与える（例えば、低い密度の変調スキームを使用し、及び／又はエラー修正コード化情報を高い割合で含ませることにより）。対照的に、より高い又はあまり健全でないＰＨＹレートは、より低いＰＨＹレートよりも更に効率的な媒体使用を与え且つより高いスループットを与える（例えば、高い密度の変調スキームを使用し、及び／又はエラー修正コード化情報を低い割合で含ませることにより）が、理想に達しない媒体条件のもとで受信することがより困難となる。
【００２８】
ＩＥＥＥ８０２．１１：ＩＥＥＥ８０２．１１ワイヤレス規格、例えば、８０２．１１ａ、８０２．１１ｂ、８０２．１１ｇ、８０２．１１ｎ、８０２．１１−２０１２、８０２．１１ａｃ、及び／又は他のＩＥＥＥ８０２．１１規格に基づく技術を指す。又、ＩＥＥＥ８０２．１１技術は、「Ｗｉ−Ｆｉ」又は「ワイヤレスローカルエリアネットワーク（ＷＬＡＮ）」技術とも称される。
【００２９】
図１−２：通信システム
図１は、ある実施形態による例示的な（及び簡単化された）ワイヤレス通信システム１００を示す。図１のシステム１００は、考えられるシステムの単なる一例に過ぎず、実施形態は、必要に応じて、種々のシステムのいずれでも具現化されることに注意されたい。例えば、図１に示す例示的なワイヤレス通信システム１００は、４つのワイヤレス装置を含むものとして示されているが、本開示の態様は、より多くの又はより少ない数（即ち、任意の数）のワイヤレス装置を有するワイヤレス通信システムで具現化されてもよいことに注意されたい。
【００３０】
図示されたように、例示的なワイヤレス通信システム１００は、送信媒体を経て通信する複数のワイヤレス装置１０２−１０８を備えている。ワイヤレス装置の幾つか又は全部が実質的に移動装置（「ステーション」又は「ＳＴＡ」）であってもよい。それとは別に又はそれに加えて、ワイヤレス装置の幾つか又は全部が実質的に固定であってもよい。
【００３１】
ワイヤレス装置１０２−１０８は、ワイヤレスネットワークを形成するようにワイヤレス送信媒体を経て通信する。ワイヤレスネットワークは、専用アクセスポイント（例えば、ワイヤレス装置１０２）によって形成されるＩＥＥＥ８０２．１１「インフラストラクチャーモード」ネットワークであり、或いは又、ワイヤレスネットワークは、「アドホック」又はピアツーピアベースネットワークである。ワイヤレスネットワークが１つ以上の「隠れたノード」を含むことが考えられ、例えば、図示されたように、ワイヤレス装置１０８は、ワイヤレス装置１０２の通信範囲内にあるが、ワイヤレス装置１０４及び１０６を検出できなくてもよい（及び／又はそれらによって検出されなくてもよい）ことに注意されたい。ワイヤレス装置１０２−１０８は、本開示の態様に基づいてＩＥＥＥ８０２．１１ワイヤレス通信を遂行するように構成される。
【００３２】
１つ以上のワイヤレス装置は、１つ以上の外部ネットワークと通信するように装備される。例えば、図示されたように、ワイヤレス装置１０２は、ネットワーク１００に通信結合される。外部ネットワークは、種々のタイプのネットワーク、例えば、種々の可能性の中で、セルラーサービスプロバイダーのコアネットワーク、インターネット、又は組織のイントラネットのいずれかである。
【００３３】
ワイヤレス装置１０２−１０８の１つ以上は、複数のワイヤレス通信規格を使用して通信できることに注意されたい。例えば、ワイヤレス装置１０２−１０８の１つ以上は、少なくとも１つのワイヤレスネットワークプロトコル（例えば、Ｗｉ−Ｆｉ）及び／又はピアツーピアワイヤレス通信プロトコル（例えば、ＢＴ、Ｗｉ−Ｆｉピアツーピア、等）、並びに少なくとも１つのセルラー通信プロトコル（例えば、ＧＳＭ（登録商標）、ＵＭＴＳ（ＷＣＤＭＡ（登録商標）、ＴＤ−ＳＣＤＭＡ）、ＬＴＥ、ＬＴＥ−アドバンスト（ＬＴＥ−Ａ）、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）、等）を使用して通信するように構成される。それに加えて又はそれとは別に、ワイヤレス装置１０２−１０８のいずれか又は全部は、１つ以上のグローバルなナビゲーション衛星システム（ＧＮＳＳ、例えば、ＧＰＳ又はＧＬＯＮＡＳＳ）、１つ以上の移動テレビジョン放送規格（例えば、ＡＴＳＣ−Ｍ／Ｈ又はＤＶＢ−Ｈ）、及び／又は必要に応じて他のワイヤレス通信プロトコルを使用して、通信するように構成される。ワイヤレス通信規格の他の組み合わせ（３つ以上のワイヤレス通信規格）も考えられる。
【００３４】
ワイヤレス装置１０２−１０８のいずれか又は全部は、ここに述べる方法実施形態のいずれか、或いはここに述べるいずれかの方法実施形態のいずれかの部分を遂行して、例えば、ワイヤレス通信システムのトラフィック状態に基づき動作モード及び／又は動作特性を選択するように構成される。
【００３５】
図２は、１つの考えられる実施形態による図１のシステム１００の態様が表わされた例示的なワイヤレス通信システム２００を示す。図示されたように、ここに示すシステムでは、ワイヤレス装置１０６は、移動ステーション（ＳＴＡ）であり、ワイヤレス装置１０２は、アクセスポイント１０２（「ＡＰ」とも称され、或いは又「ベースステーション」又は「ＢＳ」とも称される）である。ＳＴＡ１０６は、移動電話、ハンドヘルド装置、コンピュータ又はタブレット、或いは実質的に任意の形式のワイヤレス装置のようなＷｉ−Ｆｉ通信能力を伴うユーザ装置である。ＡＰ１０２は、ワイヤレスルータ又は他のワイヤレスアクセスポイントのようなＷｉ−Ｆｉ通信能力を伴うアクセスポイント装置である。
【００３６】
ＡＰ１０２及びＳＴＡ１０６のいずれか又は両方は、メモリに記憶されたプログラムインストラクションを実行するように構成されたプロセッサを含む。ＡＰ１０２及びＳＴＡ１０６のいずれか又は両方は、そのような記憶されたインストラクションを実行することにより、ここに述べる方法実施形態のいずれかを遂行する。それとは別に又はそれに加えて、ここに述べるいずれかの方法実施形態、或いはここに述べるいずれかの方法実施形態のいずれかの部分を遂行するように構成されたＦＰＧＡ（フィールドプログラマブルゲートアレイ）のようなプログラム可能なハードウェア要素がＡＰ１０２及び／又はＳＴＡ１０６の一部分として含まれる。
【００３７】
図３：ワイヤレス装置の例示的なブロック図
図３は、ある実施形態により、本開示の種々の観点に関連して使用するように構成されたワイヤレス装置３００の例示的ブロック図である。装置３００は、種々の形式の装置のいずれでもよく、そして種々の形式の機能のいずれかを遂行するように構成される。例えば、装置３００は、実質的なポータブル装置（移動装置）、例えば、移動電話、個人生産装置、コンピュータ又はタブレット、ウェアラブル装置、ハンドヘルドゲームコンソール、ポータブルメディアプレーヤ、等である。或いは又、装置３００は、実質的な固定装置、例えば、必要に応じて、テレビジョン、サブウーハ、スピーカ、或いは他のオーディオ再現装置、ワイヤレスアクセスポイント、セットトップボックス、等でもよい。
【００３８】
図示されたように、装置３００は、処理要素３０４を備えている。処理要素３０４は、１つ以上のローカル及び／又はシステムメモリ要素、例えば、メモリ３０２を備え、又はそれに結合される。メモリ３０２は、種々の形式のメモリのいずれを含んでもよく、そして種々の機能のいずれを働かせてもよい。例えば、メモリ３０２は、処理要素３０４のシステムメモリとして働くＲＡＭである。他の形式及び機能も考えられる。
【００３９】
又、装置３００は、ワイヤレス通信回路３０６も備えている。このワイヤレス通信回路３０６は、アナログ及び／又はデジタル回路コンポーネントも含み、「無線(radio)」とも称される。一般的に、無線は、基本帯域プロセッサ、アナログＲＦ信号処理回路（例えば、フィルタ、ミクサ、発振器、増幅器、等を含む）、又はデジタル処理回路（例えば、デジタル変調及び他のデジタル処理のための）を任意の組み合わせで含む。同様に、無線は、前記ハードウェアを使用して１つ以上の受信及び送信チェーンを実施する。例えば、ワイヤレス装置３００は、上述したような複数のワイヤレス通信技術の間に受信及び／又は送信チェーンの１つ以上の部分を共有する。ワイヤレス通信回路は、１つ以上のアンテナ３０８を含むか、又はそれに結合される。
【００４０】
必要に応じて、ワイヤレス通信回路３０６は、処理要素３０４に加えて個別の処理要素を含み、例えば、処理要素３０４は、「アプリケーションプロセッサ」であり、一方、ワイヤレス通信回路３０６は、それ自身の「基本帯域プロセッサ」を含み、それとは別に（又はそれに加えて）、処理要素３０４は、ワイヤレス通信回路３０６のための処理能力を与えてもよいことに注意されたい。装置３００は、ワイヤレス通信回路３０６及びアンテナ３０８により種々のワイヤレス通信技術のいずれかを使用して通信することができる。
【００４１】
装置３００は、更に、装置３００の意図された機能に基づき装置機能を実施するための種々の他のコンポーネントのいずれかを備え（図示せず）、これは、更に別の処理及び／又はメモリ要素、１つ以上の電源要素（バッテリ電源及び／又は外部電源に依存する）、ユーザインターフェイス要素（例えば、ディスプレイ、スピーカ、マイクロホン、カメラ、キーボード、マウス、タッチスクリーン、等）、付加的な通信要素（例えば、ワイヤレス通信用のアンテナ、ワイヤード通信用のＩ／Ｏポート、通信回路／コントローラ、等）、及び／又は種々の他のコンポーネントのいずれかを含む。
【００４２】
装置３００のコンポーネント、例えば、処理要素３０４、メモリ３０２、ワイヤレス通信回路３０６、及びアンテナ３０８は、おそらく複数の形式のインターフェイスの組み合わせを含めて種々の形式のインターフェイスのいずれかを含む１つ以上のイントラチップ又はインターチップ相互接続インターフェイスを経て作動的に結合される。一例として、処理要素３０４とワイヤレス通信回路３０６との間のインターチップ通信のためにＵＳＢ高速インターチップ（ＨＳＩＣ）インターフェイスが設けられる。それとは別に（又はそれに加えて）、処理要素３０４、メモリ３０２、ワイヤレス通信回路３０６、及び／又は種々の他の装置コンポーネントのいずれかの間で通信するために、ユニバーサル非同期受信器送信器（ＵＡＲＴ）インターフェイス、シリアル周辺インターフェイス（ＳＰＩ）、インター集積回路（Ｉ２Ｃ）、システムマネージメントバス（ＳＭＢｕｓ）、及び／又は種々の他の通信インターフェイスのいずれかが使用される。又、他の形式のインターフェイス（例えば、装置３００内の又はその外部の周辺コンポーネントと通信するための周辺インターフェイス）が装置３００の一部分として設けられてもよい。
【００４３】
ここに述べるように、装置３００は、高密度ＩＥＥＥ８０２．１１ワイヤレス通信システムで動作するための特徴、例えば、特に、図４から１２を参照してここに述べる特徴を具現化するためのハードウェア及びソフトウェアコンポーネントを備えている。
【００４４】
図４：フローチャート図
図４は、ある実施形態により、ＩＥＥＥ８０２．１１ワイヤレス通信システムのようなワイヤレス通信システムでワイヤレス通信を遂行するのに使用される方法を示すフローチャート図である。この方法は、特に、短いパケットの高密度状態が存在するかどうかワイヤレス装置が決定しそしてそれに応じて動作パラメータ及び／又は動作モードを変更する手段を提供することにより、短いパケットの高密度状態のもとでワイヤレス通信システムの性能を改善するのに使用されるものである。
【００４５】
そのような方法は、１つの可能性として、混雑状態のボイスオーバーインターネットプロトコル（ＶｏＩＰ）トラフィックシナリオにおいて有用である。例えば、そのようなシナリオでは、レガシー分散型チャンネルアクセス（レガシーＤＣＡ）及びエンハンスト分散型チャンネルアクセス（ＥＤＣＡ）の両方の媒体共有技術が、それらの性能を限定する問題を示す。従って、混雑状態のＶｏＩＰトラフィックシナリオのもとで新規な技術及び／又は既存の技術の変更を具現化できることが有用である。
【００４６】
ＶｏＩＰトラフィックは、一般的に、比較的短いパケットを含み、更に、上述した媒体共有技術の制約は、より一般的には、特に、ＶｏＩＰトラフィックの混雑状態からではなくて短いパケットの混雑状態から生じるので、例えば、図４の方法により、高密度の短いパケットのトラフィックが存在するときを検出することにより、そのような新規な及び／又は変更型の既存技術をいつ具現化すべきか決定することができる。
【００４７】
図４に示す方法は、他の装置の中でも、図面に示したコンピュータシステム又は装置のいずれかに関連して使用される。図示された方法要素の幾つかは、同時に遂行されてもよいし、図示されたものとは異なる順序で遂行されてもよいし、或いは省略されてもよい。又、必要に応じて、付加的な方法要素が遂行されてもよい。図示されたように、この方法は、次のように作用する。
【００４８】
４０２において、ワイヤレス装置は、ワイヤレス通信媒体を監視する。これは、第１のワイヤレス通信技術によりワイヤレス通信媒体を経て通信されるパケットを検出することを含む。例えば、ワイヤレス装置は、キャリア感知能力を使用してＷｉ−Ｆｉ送信についてＷｉ−Ｆｉ媒体を監視する。
【００４９】
４０４において、ワイヤレス装置は、検出された各パケット、又は検出されたパケットの少なくともサブセットのパケット長さを決定する。パケット長さは、種々の方法のいずれかで検出される。１つの可能性として、各ワイヤレス送信の開始付近に位置するコントロール又はシグナリング情報の一部分として与えられるパケット長さ情報は、各パケットの長さを決定するためにワイヤレス装置によりデコードされる。例えば、Ｗｉ−Ｆｉ通信システムでは、パケット長さは、各パケットの物理的（ＰＨＹ）レイヤプリアンブル（及び／又はおそらく、他の位置、例えば、メディアアクセスコントロール（ＭＡＣ）レイヤヘッダ）に含まれる。そのようなケースでは、ワイヤレス装置は、各ワイヤレス送信の全長に対してワイヤレス通信媒体を監視する必要なく、パケット長さ情報を得て、ワイヤレス通信媒体上の各送信のパケット長さを決定することができ；例えば、電力節約（ＰＳ）モードでは、パケット長さと、ワイヤレス通信媒体上で検出される各パケットの意図された行先とを決定した後に、ワイヤレス装置は、全パケットを能動的にデコードするのではなく、ワイヤレス装置に意図されていない各パケットの残りの長さに対して低電力状態に入る。別の可能性として、ワイヤレス装置は、必要に応じて、各ワイヤレス送信の全長についてワイヤレス通信媒体監視することにより、各検出されたパケットのパケット長さを決定することができる。
【００５０】
４０６において、ワイヤレス装置は、短いパケットの高密度状態が存在するかどうか決定する。これは、ワイヤレス通信媒体を監視しそして各検出されたパケットのパケット長さを決定することに（少なくとも一部分）基づく。例えば、ワイヤレス装置は、ある（第１の）期間（例えば、所定の又は静的に決定された期間）にわたり、検出されたパケットでそのパケット長さが「パケット長さスレッシュホールド」より短いものがどれほどあるかを決定する。その第１の期間中にパケット長さがパケット長さスレッシュホールドより短い検出パケットの数が、ある（第１の）スレッシュホールドより多い場合には、これは、短いパケットの混雑又は高密度状態が存在するとの指示であると考えられる。
【００５１】
パケット長さスレッシュホールド及び第１のスレッシュホールド数は、必要に応じて構成できることに注意されたい。ある例では、「短い」パケットは、ボイスパケット（例えば、ＶｏＩＰパケット）のようなパケット、及び同様の長さ又はより短い長さの他のパケット、例えば、１００バイト未満、１５０バイト未満、２００バイト未満の長さのパケット、或いは他の望ましいパケット長さスレッシュホールド値より小さいパケットである。パケット長さがパケット長さスレッシュホールド未満であるパケットのスレッシュホールド数も、必要に応じて同様に構成され、一般的に、決定を行う期間に依存する。例えば、１つの可能性として、２０（又は１５、又は２５、又は他の望ましい数）より多くの装置が存在して、主として、ワイヤレス通信システムにおいて短いパケットのトラフィック（例えば、ＶｏＩＰコールに関与する）を送信及び／又は受信するシナリオは、短いパケットの高密度シナリオであると考える。従って、この例では、第１のスレッシュホールド数は、例えば、典型的なＶｏＩＰ送信周波数特性、及び決定を行う期間の長さに基づくシナリオに（少なくともほぼ）対応するように構成される。当業者に明らかなように、混雑又は高密度の短いパケットのシナリオと、非混雑又は低密度の短いパケットのシナリオとの間を区画化する適当なスレッシュホールド値を決定する多数の他の手段も考えられる。
【００５２】
又、少なくともある例では、短いパケット混雑状態が存在するかどうか決定するとき、あるパケット（例えば、ある形式のパケット／送信）は、考慮から除外できることにも注意されたい。例えば、ある実施形態では、全ての短いパケットではなく、短いコンテンツ保持（又は他の選択された）パケットの高密度状態の指示を得るために、幾つか又は全部の非コンテンツ保持パケットが考慮から除外される。
【００５３】
４０８において、ワイヤレス装置は、短いパケットの高密度状態が存在するかどうかの決定に基づいて動作パラメータ及び／又は動作モードを選択又は変更する。例えば、短いパケットの混雑状態が存在すると決定された場合には、「短いパケット混雑状態」フラグがセットされ、これは、ある構成変更をトリガーする。短いパケットの混雑状態が存在すると決定されない場合は、「短いパケット混雑状態」フラグがクリアされ、これは、装置がその構成のもとで動作を継続できるようにするか、或いは非混雑状態に対応する構成を装置が実施するようにさせる。
【００５４】
必要に応じて、短いパケットの混雑状態と短いパケットの非混雑状態との間での過剰な移行数を回避するためにヒステリシスが導入される。例えば、上述した「第１のスレッシュホールド数」は、短いパケットの混雑状態が存在しないと最近決定された場合に短いパケットの高密度状態が存在するかどうか決定するときに使用されるが、短いパケット混雑状態が存在すると最近決定されない場合には異なる比較及びスレッシュホールドが使用される。そのような比較は、パケット長さがパケット長さスレッシュホールドより短い検出パルスの数が「第２」スレッシュホールド数より少ないかどうか決定することを含み、但し、第２スレッシュホールド数は、第１スレッシュホールド数より小さい。もしそうであれば、短いパケットの混雑状態がもはや存在せず、「短いパケット混雑状態」フラグがクリアされるケースと考えられる。
【００５５】
ステップ４０８からステップ４０２への破線復帰路で示されたように、図４の方法は、ワイヤレス装置の動作継続のために必要に応じて繰り返される（おそらく連続的に）ことに注意されたい。例えば、ワイヤレス装置は、第１の期間中にワイヤレス通信媒体を監視して、短いパケットの混雑状態が存在するかどうか決定し、そしてその決定に基づいて、第２の期間中に動作モードを選択する。その第２の期間中も、ワイヤレス装置は、ワイヤレス通信媒体を監視して、短いパケットの混雑状態が存在するかどうか決定する。その決定を使用して、第３の期間中の動作モードが選択される。動作モード及び／又はパラメータのそのような連続的な再評価及び選択は、現在状態の変化が生じたときに（又はその直後に）ワイヤレス装置がその変化に適応できるようにする。
【００５６】
上述したように、短いパケットの混雑及び非混雑シナリオに対する適当な動作モードが必要に応じて決定される。Ｗｉ−Ｆｉ通信システムにおける１つの例示的可能性として、「第１」の動作モード（例えば、短いパケットの非混雑シナリオに対する）は、アップリンク及びダウンリンクの両ＶｏＩＰ通信に対してエンハンスト分散型チャンネルアクセス（ＥＤＣＡ）をイネーブルすることを含み、一方、「第２」の動作モード（例えば、短いパケットの混雑シナリオに対する）は、ダウンリンクＶｏＩＰ通信についてはＥＤＣＡをイネーブルし、且つアップリンクＶｏＩＰ通信については（レガシーＤＣＡを使用して）ＥＤＣＡをディスエイブルすることを含む。例えば、ＥＤＣＡは、短いパケットの低密度状態のもとではＶｏＩＰ通信に対して良好な通信特性を与えるが、短いパケットの高密度状態では、発生するアップリンク衝突の数が増加し、比較的高いパケットエラー率を生じて、コールのクオリティを低下させる。一方、レガシーＤＣＡは、短いパケットの高密度状態ではダウンリンク通信に対して比較的高いレイテンシ及びパケットロス比を示すが、短いパケットの比較的高密度状態のもとでも受け容れられるレイテンシ及びパケットロス比特性を与える。従って、１つの可能性として、ＶｏＩＰ通信に対するダウンリンクＥＤＣＡ及びアップリンクレガシーＤＣＡの組み合わせがそのような例示的なＷｉ−Ｆｉ通信システムにおける考えられる第２の動作モードとして選択される。
【００５７】
図４の方法に基づき図示して説明された短いパケットの混雑状態の検出は、必要に応じて、Ｗｉ−Ｆｉ通信システムにおけるアクセスポイント装置（ＡＰ）及び１つ以上の移動ステーション（ＳＴＡ）のいずれか又は両方において遂行されることに注意されたい。例えば、１つの可能性として、ＡＰ及びＳＴＡの各々は、図４の方法を自律的に遂行し、これは、短いパケットの混雑状態が存在するかどうかの決定と、動作パラメータ／モードの変更の両方を含む。別の可能性として、ＡＰは、短いパケットの混雑状態が存在するかどうかの決定を遂行し、そしてそれに応じてどの動作パラメータ／モードを使用すべきかをＳＴＡに通知する（例えば、ビーコンで放送して）。そのようなシナリオでは、短いパケットの混雑状態が存在するかどうか決定するのではなく、ＳＴＡは、短いパケットの混雑状態が存在するかどうかの指示を受け取り、そしてそれに応じて動作パラメータを変更するか、或いは動作パラメータを変更するための指示をＡＰから直接受け取る。
【００５８】
図５−７：状態図及び例示的なシミュレーション結果
図５−７及びそれに関連して以下に述べる情報は、図４の方法が具現化される考えられるＩＥＥＥ８０２．１１ワイヤレス通信システムに関連した種々の事柄及び細部の一例として与えられるもので、全体としてその開示に限定されるものではない。ここに述べる細部に対して多数の変更及び代替が可能であり、この開示の範囲内に包含されるとみなされねばならない。
【００５９】
図５は、短いパケットの混雑状態を検出するための１つの考えられる技術を示す例示的な状態図である。図示されたように、モデムがオンであるワイヤレス装置に対して、５０２において、タイマー「Ｔ」がスタートされ、そしてカウンタ「Ｃ」がリセットされる。５０４において、タイマーＴが時間切れとなるまでの期間中に、カウンタＣは、受け取られる（検出される）パケットの長さがパケット長さスレッシュホールド「ＬTH」未満であるときに増加される。ある実施形態では、ＡＣＫ、ＲＴＳ及びＣＴＳ（又は他のそのようなメッセージ）のいずれか又は全部がそのようなカウント動作から除外されてもよい。タイマーＴの時間切れ（又はその近く）までに、カウンタＣが第１のスレッシュホールド数「ΘTH1」より大きい場合には（判断５０６）、５０８において、状態又はフラグ「Ｃｒｏｗｄｅｄ＿Ｓｈｏｒｔ＿Ｐａｃｋｅｔ＿Ｓｉｔｕａｔｉｏｎ」がセットされる。タイマーＴが時間切れしたとき、カウンタＣがΘTH1以下であるだけでなく、第２のスレッシュホールド数「ΘTH2」未満でもある場合には（判断５１０）、５１２において、状態又はフラグ「Ｃｒｏｗｄｅｄ＿Ｓｈｏｒｔ＿Ｐａｃｋｅｔ＿Ｓｉｔｕａｔｉｏｎ」がリセット（クリア）される。タイマーＴが時間切れしたとき、カウンタＣがΘTH1以下であるが、ΘTH2より大きい場合には、現在状態に変化がない。次いで、ワイヤレス装置は、ブロック５０２「タイマーＴをスタート、カウンタＣをリセット」へ移行して戻り、そして再び状態図を通して繰り返し進んで、ワイヤレス装置が経験する現在シナリオに基づいて状態又はフラグ「Ｃｒｏｗｄｅｄ＿Ｓｈｏｒｔ＿Ｐａｃｋｅｔ＿Ｓｉｔｕａｔｉｏｎ」を更新状態に保持する。繰り返し頻度は、必要に応じて選択され、例えば、動的に変更される。
【００６０】
図６−７は、種々のＷｉ−Ｆｉ通信システムのアップリンク及びダウンリンク統計値に対する例示的なシミュレーション結果をシステム内のステーション数に基づいて示すグラフである。
【００６１】
図６は、アップリンク及びダウンリンクの両方に対するレガシーＤＣＡ（「レガシー」６４０）、アップリンク及びダウンリンクの両方に対するＥＤＣＡ（「ＥＤＣＡ」６５０）、及びダウンリンクに対してＥＤＣＡ及びアップリンクについてレガシーＤＣＡ（「ＤＬのみＥＤＣＡ」６６０）を使用するシステムのためのアップリンク統計値（平均ＶｏＩＰ遅延（単位ミリ秒）６１０及びパケットロスパーセンテージ６２０）をワイヤレス通信システムにおけるＳＴＡの数６３０に対して各々示すもので、システムの１つのＳＴＡがベストエフォート（「ＡＣ＿ＢＥ」）通信を遂行し、そしてシステムの残りのＳＴＡがＶｏＩＰ通信を遂行する。図示されたように、ＥＤＣＡ６５０は、最低の平均ＶｏＩＰ遅延を与えるが、パケットロス比は、多数のＶｏＩＰステーションが存在するとき著しく増加する。レガシー６４０及びＤＬのみのＥＤＣＡ６６０は、両方とも、ＶｏＩＰステーションの数が増加するとき、パケットロス比を著しく高めることなく、高いが、依然、合理的な平均ＶｏＩＰ遅延を示す。
【００６２】
図７は、同様のシステムに対する同等のダウンリンク統計値（平均ＶｏＩＰ遅延（単位ｍｓ）７１０及びパケットロスパーセンテージ７２０・対・ＳＴＡの数７３０）を示す。図示されたように、ＥＤＣＡ７５０及びＤＬのみのＥＤＣＡ７６０は、非常に低い平均ＶｏＩＰ遅延及びパケットロス比を示すが、レガシー７４０は、ＶｏＩＰステーションの数が増加するにつれて、急速に増加する平均ＶｏＩＰ遅延及びパケットロスパーセンテージを示し始まる。
【００６３】
従って、ＤＬのみのＥＤＣＡ媒体共有技術は、比較的高いＶｏＩＰトラフィック密度において全体的な性能を改善する。これは、少なくとも一部分は、高密度のＶｏＩＰトラフィックでは、ＡＰがシステムのいずれのＳＴＡよりも通信すべきトラフィックを著しく多く有するという非対称的なトラフィックパターンが生じるからであり、その結果、ＤＬのみのＥＤＣＡ媒体共有技術は、ＳＴＡよりもＡＰに媒体へのアクセスをより多く与えて、高いＶｏＩＰトラフィック密度シナリオにより適した仕方でアクセス必要性と媒体アクセスとのバランスをとることができる。
【００６４】
図８：フローチャート図
図８は、ＩＥＥＥ８０２．１１ワイヤレス通信システムのようなワイヤレス通信システムにおいてワイヤレス通信を遂行するのに使用できる例示的な方法を示すフローチャートである。この方法は、非ボイストラフィックも存在するＶｏＩＰトラフィック混雑シナリオ（図４について述べたものと同様に、短いパケットの混雑状態を引き起こす）に使用される。そのようなシナリオは、非ボイスパケットとボイスパケットとの間の衝突の可能性を高める。非ボイスパケット（ＦＴＰパケットのような）は、比較的長いので、そのような衝突は、ワイヤレス通信媒体を比較的長時間利用できなくし、ボイスパケット又は非ボイスパケットのいずれかを首尾良く送信しない。従って、図８の方法は、そのようなシナリオにおいて、短いパケットの密度がそのように高い状態のもとで、例えば、非ボイスパケットとボイスパケットとの間に生じる衝突の確率を下げることにより、ワイヤレス通信システムの性能を改善するのに使用される。
【００６５】
図８に示す方法は、他の装置の中でも、図面に示したコンピュータシステム又は装置のいずれかに関連して使用され、そして必要に応じて、図４（及びおそらくは図５−７）の方法の幾つかの又は全ての観点に関連して或いはそれとは独立して使用されてもよい。図示された方法要素の幾つかは、同時に遂行されてもよいし、図示されたものとは異なる順序で遂行されてもよいし、或いは省略されてもよい。又、必要に応じて、付加的な方法要素が遂行されてもよい。図示されたように、この方法は、次のように作用する。
【００６６】
８０２において、ワイヤレス装置は、短いパケットの高密度トラフィックが存在することを決定する。そのような決定は、ワイヤレス装置により（例えば、図４の方法に関連して述べたように、ワイヤレス媒体を監視し、送信される各パケットのパケット長さを決定し、そして比較的短いパケット長さのパケットの数をカウントすることにより）、或いは別の装置から受け取られる指示に基づいて、自律的に行われる。例えば、Ｗｉ−Ｆｉ通信システムのアクセスポイント（ＡＰ）は、短いパケットの高密度トラフィックが存在することを自律的に決定し、そしてそれを示す指示をＷｉ−Ｆｉ通信システムの移動ステーションＳＴＡ）に与え、該ＳＴＡは、次いで、その指示に依存するのであって、それ自身がそのような決定を自律的に行うのではない。或いは又、Ｗｉ−Ｆｉ通信システムのＡＰ及びＳＴＡの両方が、必要に応じて、短いパケットの高密度トラフィックが存在するかどうか自律的に決定するように構成されてもよい。
【００６７】
８０４において、短いパケットの高密度トラフィックに基づいて１つ以上の動作特徴がイネーブルされる。１つ以上の動作特徴をイネーブルすることは、方法を実施するワイヤレス装置において特徴をイネーブルすることを含み、及び／又は特徴をイネーブルするための指示を１つ以上の他のワイヤレス装置に与えることを含む。例えば、Ｗｉ−Ｆｉ通信システムのＳＴＡがＡＰに依存して、短いパケットの高密度トラフィックが存在するかどうか決定する前記例示的シナリオでは、ＡＰは、特に、イネーブルすべき１つ以上の動作特徴の指示を与える（短いパケットの高密度トラフィックが存在するとのより一般的な指示に加えて又はそれに代わって）。例えば、ＡＰは、あるパラメータ値及び／又はコントロール情報が送られるビーコン送信においてそのような情報を送ることができる。
【００６８】
動作特徴は、必要に応じて、種々の動作特徴のいずれでもよい。１つの可能性として、送信要求（ＲＴＳ）及び送信クリア（ＣＴＳ）指示の使用が非ボイストラフィックに対してイネーブルされる。非ボイストラフィックは、典型的に、比較的長く、一方、ＲＴＳ／ＣＴＳパケットは、比較的短いので、ＲＴＳパケットとＶｏＩＰパケットが衝突しても、非ボイスパケットそれ自体とＶｏＩＰパケットとの間の衝突である限りワイヤレス媒体を利用不能にすることはなく、そして首尾良く行けば、非ボイスパケットを含む衝突が生じる可能性を著しく低減する（例えば、ほぼ排除する）。
【００６９】
別の考えられる動作特徴として、各分散型整合機能（ＤＣＦ）インターフレームスペース（ＤＩＦＳ）後のあるスロット数がボイストラフィックに対して予約される。又、この特徴は、非ボイスパケットとボイスパケットとの間で衝突が生じる見込みも低減する。というのは、非ボイスパケット及びボイスパケットが送信されるスロット間の重畳を減少するからである。
【００７０】
種々の他の考えられる動作特徴の中で、上述した動作特徴は、短いパケットの高密度トラフィックが存在するという決定に基づいて、個々に又は任意の組み合わせで実施できることに注意されたい。
【００７１】
８０６において、ワイヤレス通信は、１つ以上のイネーブルされた動作特徴を使用して遂行される。例えば、非ボイスパケットに対してＲＴＳ及びＣＴＳパケットの使用がイネーブルされた場合には、非ボイスパケットをその送信バッファにおいて次にもつＳＴＡがＲＴＳパケットを送信し、そして非ボイスパケットを送信するまでＣＴＳ応答パケットを待機する。同様に、ボイストラフィックに対して各ＤＩＦＳ後にある数のスロットの予約がイネーブルされた場合には、非ボイスパケットをその送信バッファにおいて次にもつＳＴＡが必要に応じてバックオフカウンタに追加され、少なくとも特定数のスロットが通過するまで非ボイスパケットが送信されないように保証する。ボイストラフィックに対して予約されるスロットの数は、必要に応じて、動的に指示されるか（例えば、ビーコン送信のコントロール情報において）又は静的に決定される（例えば、特定の文書において固定される）。
【００７２】
最終的に、短いパケットの高密度トラフィックがもはや存在しないことが決定されることに注意されたい。これは、必要に応じて、自律的に決定されてもよいし、又は別の装置からの指示に基づいて決定されてもよい。そのような決定の場合に、既にイネーブルされた動作特徴のいずれか又は全部がディスエイブルされてもよい。その後のワイヤレス通信は、そのとき検出されたネットワーク条件に対応する構成で遂行される。
【００７３】
図９−１２：状態図、例示的なシミュレーション結果、及び例示的なコントロール情報フォーマット
図９−１２及びそれらを参照して以下に述べる情報は、図８の方法が具現化される考えられるＩＥＥＥ８０２．１１ワイヤレス通信システムに関連した種々の事柄及び細部の一例として与えられるもので、全体としてその開示に限定されるものではない。ここに述べる細部に対して多数の変更及び代替が可能であり、この開示の範囲内に包含されるとみなされねばならない。
【００７４】
図９は、考えられる短いパケット混雑状態を考慮するＳＴＡのための１つの考えられる送信技術を示す例示的な状態図である。
【００７５】
図示されたように、最初に、ステップ９０２において、ＳＴＡは、パケットを送信する機会を有する。９０４において、ＳＴＡは、パケットがＶｏＩＰ（又はおそらくより一般的にはボイスパケット）であるかどうか決定する。いずれの場合も（判断９０４の結果に基づいてステップ９０６又は９１２）、ＳＴＡは、おそらく図４及び／又は図５の方法により、ＶｏＩＰ混雑状態が検出されたかどうかも（例えば、自動的に、或いはＡＰ又は他のワイヤレス装置からの指示に基づいて）決定する。
【００７６】
ＶｏＩＰ混雑状態のＶｏＩＰパケットについては、判断９０６からステップ９０８への移行において、ＥＤＣＡがディスエイブルされ、一方、ＶｏＩＰ非混雑状態のＶｏＩＰパケットについては、判断９０６からステップ９１０への移行において、ＥＤＣＡがイネーブルされる（又は、維持される）。次いで、ＳＴＡは、ステップ９２０へ移行し、そのバックオフカウンタの減少をスタートすると共に、バックオフカウンタがゼロに達したときに送信をスタートする。
【００７７】
ＶｏＩＰ非混雑状態の非ＶｏＩＰパケットについては、判断９１２からステップ９２０への直接的な移行において、ワイヤレス装置は、そのバックオフカウンタをゼロになるまで単に減少し、次いで、特殊な特徴をイネーブルせずに、送信をスタートする。ＶｏＩＰ混雑状態の非ＶｏＩＰパケットについては、判断９１２からステップ９１４及び９１６の１つ以上への移行において、ＲＴＳ／ＣＴＳがイネーブルされ（ステップ９１４）、及び／又はバックオフカウンタの値がＮ未満である（即ち、ステップ９１６が「イエス」の判断である）場合にスロットの特定数（Ｎ）がバックオフカウンタに追加され（ステップ９１８）、その後、ワイヤレス装置は、ステップ９２０へ移行し、そのバックオフカウンタを減少し始めると共に、バックオフカウンタがゼロに達したときに送信をスタートする。
【００７８】
図１０は、考えられる短いパケット混雑状態を考慮する１つの考えられる送信技術を示す例示的な状態図である。
【００７９】
図示されたように、最初に、ステップ１００２において、ＡＰは、パケットを送信する機会をもつ。１００４において、ＡＰは、パケットがＶｏＩＰ（又はおそらくより一般的にはボイスパケット）であるかどうか決定する。
【００８０】
ＶｏＩＰパケットについては、ステップ１００４からステップ１００６への移行において、ＥＤＣＡがイネーブルされる（例えば、短いパケットの混雑状態が存在するか否かに関わらず）。ＡＰは、ステップ１０１６へ移行し、そしてそのバックオフカウンタの減少をスタートすると共に、バックオフカウンタがゼロに達したときに送信をスタートする。
【００８１】
非ＶｏＩＰパケットについては、ＡＰは、判断１００４から判断１００８へ移行して、ＶｏＩＰ混雑状態が検出されたかどうか決定する。ＶｏＩＰ非混雑状態では、ワイヤレス装置は、判断１００８からステップ１０１６へ直接移行すると共に、そのバックオフカウンタをゼロになるまで単に減少し、次いで、特殊な特徴をイネーブルせずに送信をスタートする。ＶｏＩＰ混雑状態の非ＶｏＩＰパケットについては、判断１００８からステップ１０１０及び１０１２への移行において、ＲＴＳ／ＣＴＳがイネーブルされ（ステップ１０１０）、及び／又はバックオフカウンタの値がＮ未満である（即ち、ステップ１０１２が「イエス」の判断である）場合にスロットの特定数（Ｎ）がバックオフカウンタに追加され（ステップ１０１４）、その後、ワイヤレス装置は、ステップ１０１６へ移行し、そのバックオフカウンタを減少し始めると共に、バックオフカウンタがゼロに達したときに送信をスタートする。
【００８２】
図１１は、種々の動作特徴が使用されるＷｉ−Ｆｉ通信システムの平均アップリンクＦＴＰスループット（単位Ｍｂｐｓ）に対する例示的なシミュレーション結果を、そのシステムにおけるステーションの数に基づいて示すグラフである。
【００８３】
図１１は、各々、アップリンク及びダウンリンクの両方に対してレガシーＤＣＡ（「レガシー」）を使用し、アップリンク及びダウンリンクの両方に対してＥＤＣＡ（「ＥＤＣＡ」）を使用し、ダウンリンクに対してＥＤＣＡ及びアップリンクに対してレガシーＤＣＡ（「ＤＬのみＥＤＣＡ」）を、ボイスパケットの各ＤＩＦＳの後の特定数のスロットの予約（「プライオリティ解除ＦＴＰ」）と組み合わせて使用し、ＤＬのみＥＤＣＡを、ＦＴＰパケットに対するＲＴＳ及びＣＴＳ（「ＦＴＰに対するＲＴＳ＆ＣＴＳ」）の使用と組み合わせて使用し、そしてＤＬのみＥＤＣＡをプライオリティ解除ＦＴＰ及びＦＴＰに対するＲＴＳ＆ＣＴＳと組み合わせて使用して、システムの平均アップリンクＦＴＰスループットを示す。図示されたように、プライオリティ解除ＦＴＰ、及びＦＴＰに対するＲＴＳ＆ＣＴＳの使用は、個々に又は組み合わせで、高い密度のＶｏＩＰトラフィックにおいてＦＴＰに対する非常に高い（例えば、１０００％より高い）スループットを発揮することができる。
【００８４】
図１２は、必要に応じて、ボイスパケットに対して各ＤＩＦＳ後に特定数のスロットを予約し及び／又は非ボイスパケットに対してＲＴＳ及びＣＴＳを使用する、等の幾つかの動作特徴の使用を指示する（可能にする）のに使用される例示的なコントロールフィールドを示す。特に、図示されたコントロールフィールドは、Ｗｉ−Ｆｉに使用される各アクセスカテゴリ（例えば、ＡＣ＿ＢＫ、ＡＣ＿ＢＥ、ＡＣ＿ＶＩ、及びＡＣ＿ＶＯ）に対してＡＰにより送信される各ビーコンに含まれるＡＣＩ／ＡＩＦＳＮフィールドである。図示されたように、ここに示すフィールドは、１つの予約ビット（Ｂ７）を含む。このビットは、ＶｏＩＰ混雑トラフィック（又はより一般的には短いパケットの高密度トラフィック）状態の間にどの動作特徴をイネーブルするかＳＴＡに指示するためにＡＰにより使用される。例えば、非ボイスアクセスカテゴリ（ＡＣ＿ＢＫ、ＡＣ＿ＢＥ、ＡＣ＿ＶＩ）の幾つか又は全部に対して、Ｂ７ビットを「１」に等しくセットすることは、それらのアクセスカテゴリに対してＲＴＳ／ＣＴＳがイネーブルされることを指示する。同様に、ボイスアクセスカテゴリに対して、Ｂ７ビットを「１」に等しくセットすることは、各ＤＩＦＳ後の最初のＮ個のスロットがボイストラフィックに対して予約されることを指示する。
【００８５】
本開示の更に別の例示的な実施形態を以下に述べる。
【００８６】
実施例１．ワイヤレス装置により実施される方法において、第１の期間中に第１の動作モードに従ってワイヤレス通信を遂行し；ワイヤレス通信媒体を監視し、この監視は、第１のワイヤレス通信技術に従ってワイヤレス通信媒体を経て通信されるパケットを検出することを含み；各検出されたパケットのパケット長さを決定し；第１の期間中にパケット長さが第１のパケット長さスレッシュホールド未満である検出パケットの数が第１のスレッシュホールド数より大きいかどうか決定し；第１の期間中にパケット長さが第１のパケット長さスレッシュホールド未満である検出パケットの数が第１のスレッシュホールド数より大きい場合には、第２の期間中に第２の動作モードに従ってワイヤレス通信を遂行し、第２の期間は、第１の期間に続くものであり；及び第１の期間中にパケット長さが第１のパケット長さスレッシュホールド未満である検出パケットの数が第１のスレッシュホールド数より小さい場合には、第２の期間中に第１の動作モードに従ってワイヤレス通信を実行し続ける；ことを含む方法。
【００８７】
実施例２．第１の期間中にパケット長さが第１のパケット長さスレッシュホールド未満である検出パケットの数が第１のスレッシュホールド数より大きい場合には、第２の期間中にパケット長さが第１のパケット長さスレッシュホールド未満である検出パケットの数が第２のスレッシュホールド数より小さいかどうか決定し；第２の期間中にパケット長さが第１のパケット長さスレッシュホールド未満である検出パケットの数が第２のスレッシュホールド数より小さい場合には、第３の期間中に第１の動作モードに従ってワイヤレス通信を遂行し、第３の期間は、第２の期間に続くものであり；及び第２の期間中にパケット長さが第１のパケット長さスレッシュホールド未満である検出パケットの数が第２のスレッシュホールド数より大きい場合には、第３の期間中に第２の動作モードに従ってワイヤレス通信を実行し続ける；ことを更に含む実施例１に記載の方法。
【００８８】
実施例３．第２のスレッシュホールド数は、第１のスレッシュホールド数より小さい、実施例２に記載の方法。
【００８９】
実施例４．第１のワイヤレス通信技術は、Ｗｉ−Ｆｉであり、第１の期間中にパケット長さが第１のパケット長さスレッシュホールド未満である検出パケットの数が第１のスレッシュホールド数より大きいかどうか決定するときには、確認、送信要求、及び送信クリアパケットが除外される、実施例１−３のいずれかに記載の方法。
【００９０】
実施例５．第１の動作モードは、アップリンク及びダウンリンクの両ボイスオーバーインターネットプロトコル（ＶｏＩＰ）通信に対してエンハンスト分散型チャンネルアクセス（ＥＤＣＡ）をイネーブルすることを含み、第２の動作モードは、ダウンリンクＶｏＩＰ通信に対してはＥＤＣＡをイネーブルし、そしてアップリンクＶｏＩＰ通信に対してはＥＤＣＡをディスエイブルすることを含む、実施例１−４のいずれかに記載の方法。
【００９１】
実施例６．ワイヤレス装置により実施される方法において、短いパケットの高密度トラフィックがＷｉ−Ｆｉネットワークに存在することを決定し；該決定に基づいて１つ以上の動作特徴をイネーブルし、該１つ以上の動作特徴は、非ボイストラフィックに対して送信要求（ＲＴＳ）及び送信クリア（ＣＴＳ）の指示を使用するか又はボイストラフィックに対して各分散型整合機能（ＤＣＦ）インターフレームスペース（ＤＩＦＳ）後に第１数のスロットを予約する、の１つ以上を含み；その１つ以上のイネーブルされた動作特徴を使用してＷｉ−Ｆｉネットワークの一部分としてワイヤレス通信を遂行する；ことを含む方法。
【００９２】
実施例７．その後に、短いパケットの高密度トラフィックがＷｉ−Ｆｉネットワークにもはや存在しないことを決定し；該決定に基づき１つ以上の動作特徴をディスエイブルし；及び１つ以上の動作特徴がディスエイブルされた状態でＷｉ−Ｆｉネットワークの一部分としてワイヤレス通信を遂行する；ことを更に含む、実施例６に記載の方法。
【００９３】
実施例８．ワイヤレス装置は、アクセスポイント装置（ＡＰ）であり、１つ以上の動作特徴をイネーブルすることは、１つ以上の動作特徴をイネーブルするための指示をＷｉ−Ｆｉネットワークの１つ以上の移動ステーション（ＳＴＡ）へ送信することを含む、実施例６−７のいずれかに記載の方法。
【００９４】
実施例９．ワイヤレス装置により実施される方法において、第１の期間にわたってワイヤレス媒体を経て通信されるパケットのパケット長さを検出し；第１の期間にわたりワイヤレス媒体を経て通信される、パケット長さスレッシュホールドより短いパケット長さのパケットの数に少なくとも一部分基づいて、ワイヤレス媒体が短いパケットの混雑状態にあるか又は短いパケットの非混雑状態にあるか決定し；ワイヤレス媒体が短いパケットの混雑状態にあるか又は短いパケットの非混雑状態にあるかの決定に少なくとも一部分基づいて、少なくとも第１の動作モード及び第２の動作モードから動作モードを選択し；及びその選択された動作モードに従ってワイヤレス媒体を経てＷｉ−Ｆｉ通信を遂行する；ことを含む方法。
【００９５】
実施例１０．第１の期間にわたりワイヤレス媒体を経て通信される、パケット長さスレッシュホールドより短いパケット長さのパケットの数が第１のスレッシュホールドパケット数より多い場合には、ワイヤレス媒体が短いパケットの混雑状態にあると決定し；更に、第１の期間にわたりワイヤレス媒体を経て通信される、パケット長さスレッシュホールドより短いパケット長さのパケットの数が第１のスレッシュホールドパケット数より少ない場合には、ワイヤレス媒体が短いパケットの非混雑状態にあると決定する；ことを更に含む実施例９に記載の方法。
【００９６】
実施例１１．第１の期間にわたりワイヤレス媒体を経て通信される、パケット長さスレッシュホールドより短いパケット長さのパケットの数が第１のスレッシュホールドパケット数より多い場合には、ワイヤレス媒体が短いパケットの混雑状態にあると決定し；第１の期間にわたりワイヤレス媒体を経て通信される、パケット長さスレッシュホールドより短いパケット長さのパケットの数が第２のスレッシュホールドパケット数より少ない場合には、ワイヤレス媒体が短いパケットの非混雑状態にあると決定し、第２のスレッシュホールドパケット数は、第１のスレッシュホールドパケット数より小さく；及び第１の期間にわたりワイヤレス媒体を経て通信される、パケット長さスレッシュホールドより短いパケット長さのパケットの数が第１のスレッシュホールドパケット数より小さく且つ第２のスレッシュホールドパケット数より大きいかどうかの以前の決定に基づいて、ワイヤレス媒体が短いパケットの混雑状態にあるか又は短いパケットの非混雑状態にあるか決定する；ことを更に含む、実施例９−１０のいずれかに記載の方法。
【００９７】
実施例１２．ワイヤレス媒体を経て通信されるパケットのパケット長さを、それらパケットのＰＨＹプリアンブルパケット長さ情報をデコードすることによって検出することを更に含む、実施例９−１１のいずれかに記載の方法。
【００９８】
実施例１３．ワイヤレス媒体が短いパケットの混雑状態にあるか又は短いパケットの非混雑状態にあるか決定するために使用される、第１の期間にわたりワイヤレス媒体を経て通信されるパケットの数は、非コンテンツ保持パケットを除外する、実施例９−１２のいずれかに記載の方法。
【００９９】
実施例１４．第１の動作モードは、アップリンク及びダウンリンクの両Ｗｉ−Ｆｉ通信に対してエンハンスト分散型チャンネルアクセス（ＥＤＣＡ）をイネーブルすることを含み、第２の動作モードは、ダウンリンクＷｉ−Ｆｉ通信に対してはＥＤＣＡをイネーブルし、そしてアップリンクＷｉ−Ｆｉ通信に対してはＥＤＣＡをディスエイブルすることを含む、実施例９−１３のいずれかに記載の方法。
【０１００】
実施例１５．選択された動作モードの指示を、ワイヤレス媒体を経て通信する１つ以上の他のワイヤレス装置へ送信することを更に含む、実施例９−１４のいずれかに記載の方法。
【０１０１】
実施例１６．第２の期間にわたってワイヤレス媒体を経て通信されるパケットのパケット長さを検出し；第２の期間にわたりワイヤレス媒体を経て通信される、パケット長さスレッシュホールドより短いパケット長さのパケットの数に少なくとも一部分基づいて、短いパケットの状態変化がワイヤレス媒体に生じたかどうか決定し；短いパケットの状態が変化した場合には、異なる動作モードを選択し；及びその選択された動作モードに従ってワイヤレス媒体を経てＷｉ−Ｆｉ通信を遂行する；ことを更に含む、実施例９−１５のいずれかに記載の方法。
【０１０２】
実施例１７．ワイヤレス装置により実施される方法において、短いパケットの高密度トラフィックがＷｉ−Ｆｉネットワークに存在することを決定し；その決定に基づいてＷｉ−Ｆｉネットワークにおけるボイストラフィックと非ボイストラフィックとの間の衝突を減少するよう構成された１つ以上の動作特徴をイネーブルし；及び１つ以上のイネーブルされた動作特徴を使用してＷｉ−Ｆｉネットワークの一部分としてワイヤレス通信を遂行する；ことを含む方法。
【０１０３】
実施例１８．１つ以上の動作特徴は、非ボイストラフィックに対して送信要求（ＲＴＳ）及び送信クリア（ＣＴＳ）の指示を使用することを含み、ＲＴＳ及びＣＴＳ指示は、ボイストラフィックには使用されない、実施例１７に記載の方法。
【０１０４】
実施例１９．１つ以上の動作特徴は、ボイストラフィックに対して各分散型整合機能（ＤＣＦ）インターフレームスペース（ＤＩＦＳ）後に構成された数のスロットを予約することを含む、実施例１７−１８のいずれかに記載の方法。
【０１０５】
実施例２０．その後に、短いパケットの高密度トラフィックがＷｉ−Ｆｉネットワークにもはや存在しないことを決定し；該決定に基づいて１つ以上の動作特徴をディスエイブルし；及び１つ以上の動作特徴がディスエイブルされた状態でＷｉ−Ｆｉネットワークの一部分としてワイヤレス通信を遂行する；ことを更に含む、実施例１７−１９のいずれかに記載の方法。
【０１０６】
実施例２１．ワイヤレス装置は、アクセスポイント装置（ＡＰ）であり、１つ以上の動作特徴をイネーブルすることは、１つ以上の動作特徴をイネーブルするための指示をＷｉ−Ｆｉネットワークの１つ以上の移動ステーション（ＳＴＡ）へ送信することを含む、実施例１７−２０のいずれかに記載の方法。
【０１０７】
実施例２２．Ｗｉ−Ｆｉネットワークを形成するアクセスポイント装置から短いパケットの高密度トラフィックがＷｉ−Ｆｉネットワークに存在するとの指示を受け取り、短いパケットの高密度トラフィックがＷｉ−Ｆｉネットワークに存在するとの決定は、アクセスポイント装置から受け取られた指示に基づく、実施例１７−２０のいずれかに記載の方法。
【０１０８】
実施例２３．ワイヤレス装置により実施される方法において、短いパケットの高密度トラフィックがＷｉ−Ｆｉネットワークに存在するかどうか決定し；該決定に基づいてＷｉ−Ｆｉネットワークにおけるボイストラフィックと非ボイストラフィックとの間の衝突を減少するように構成された１つ以上の動作特徴をイネーブルし；及びその１つ以上のイネーブルされた動作特徴を使用してＷｉ−Ｆｉネットワークの一部分としてワイヤレス通信を遂行する；ことを含み、その１つ以上のイネーブルされた動作特徴により、送信されるべきパケットがボイスパケットであるか非ボイスパケットであるかに基づいて異なる媒体アクセスアルゴリズムが使用される、方法。
【０１０９】
実施例２４．１つ以上の動作特徴は、非ボイストラフィックに対して送信要求（ＲＴＳ）及び送信クリア（ＣＴＳ）の指示を使用することを含み、１つ以上のイネーブルされた動作特徴を使用してＷｉ−Ｆｉネットワークの一部分としてワイヤレス通信を遂行するために、前記方法は、更に、非ボイスパケットを送信する前にＲＴＳ指示を送信し、ＲＴＳ指示を送信せずにボイスパケットを送信することを含む、実施例２３に記載の方法。
【０１１０】
実施例２５．１つ以上の動作特徴は、ボイストラフィックに対して各分散型整合機能（ＤＣＦ）インターフレームスペース（ＤＩＦＳ）後に構成された数のスロットを予約することを含み、１つ以上のイネーブルされた動作特徴を使用してＷｉ−Ｆｉネットワークの一部分としてワイヤレス通信を遂行するために、前記方法は、更に、バックオフカウンタの値がその構成された数より小さい場合に非ボイスパケットに対してＤＩＦＳ後にバックオフカウンタにその構成された数を追加することを含む、実施例２３−２４のいずれかに記載の方法。
【０１１１】
実施例２６．１つ以上の動作特徴は、ボイスパケットに対してＥＤＣＡをディスエイブルすることを含み、１つ以上のイネーブルされた動作特徴を使用してＷｉ−Ｆｉネットワークの一部分としてワイヤレス通信を遂行するために、前記方法は、更に、ボイスパケットのための媒体アクセスアルゴリズムとしてレガシーＤＣＡを使用することを含む、実施例２３−２５のいずれかに記載の方法。
【０１１２】
実施例２７．Ｗｉ−Ｆｉビーコン送信において１つ以上の動作特徴をイネーブルするための指示を放送することを更に含む、実施例２３−２６のいずれかに記載の方法。
【０１１３】
実施例２８．Ｗｉ−Ｆｉネットワークを形成するアクセスポイント装置からＷｉ−Ｆｉビーコン送信において１つ以上の動作特徴をイネーブルするための指示を受け取ることを更に含む、実施例２３−２６のいずれかに記載の方法。
【０１１４】
実施例２９．ワイヤレス通信のために構成された１つ以上のアンテナに結合された１つ以上の無線と；その１つ以上の無線に作動的に結合された処理要素と；を備え、前記実施例１−２８に記載のいずれかの方法のいずれか又は全ての部分を具現化するように構成されたワイヤレスユーザ装置（ＵＥ）。
【０１１５】
実施例３０．装置において実行されたときに装置が前記実施例１−２８に記載のいずれかの方法のいずれか又は全ての部分を具現化するようにさせるプログラムインストラクションを備えた非一時的コンピュータアクセス可能なメモリ媒体。
【０１１６】
実施例３１．前記実施例１−２８に記載のいずれかの方法のいずれか又は全ての部分を遂行するためのインストラクションを含むコンピュータプログラム。
【０１１７】
実施例３２．前記実施例１−２８のいずれかに記載の方法要素のいずれか又は全てを遂行するための手段を備えた装置。
【０１１８】
本開示の実施形態は、種々の形態のいずれかで実現することができる。例えば、ある実施形態は、コンピュータ実施方法、コンピュータ読み取り可能なメモリ媒体又はコンピュータシステムとして実現される。他の実施形態は、ＡＳＩＣのような１つ以上のカスタム設計のハードウェア装置を使用して実現される。又、他の実施形態は、ＦＰＧＡのような１つ以上のプログラム可能なハードウェア要素を使用して実現される。
【０１１９】
ある実施形態では、非一時的なコンピュータ読み取り可能なメモリ媒体は、プログラムインストラクション及び／又はデータを記憶するように構成され、プログラムインストラクションは、コンピュータシステムにより実行された場合に、コンピュータシステムが、方法、例えば、ここに述べる方法実施形態のいずれか、又はここに述べる方法実施形態の任意の組み合わせ、或いはここに述べる方法実施形態のいずれかのサブセット、又はそのようなサブセットの任意の組み合わせ遂行するようにさせる。
【０１２０】
ある実施形態では、装置（例えば、ＳＴＡ）は、プロセッサ（又はプロセッサのセット）及びメモリ媒体を含むように構成され、メモリ媒体は、プログラムインストラクションを記憶し、プロセッサは、メモリ媒体からプログラムインストラクションを読み取って実行するように構成され、プログラムインストラクションは、ここに述べる種々の方法実施形態のいずれか（又はここに述べる方法実施形態の任意の組み合わせ、或いはここに述べる方法実施形態のいずれかのサブセット、又はそのようなサブセットの組み合わせ）を実施するように実行される。装置は、種々の形態のいずれかで実施される。
【０１２１】
以上、本発明の実施形態を非常に詳細に説明したが、当業者であれば、前記開示が充分に理解されれば、多数の変更や修正が明らかとなろう。特許請求の範囲は、そのような全ての変更や修正を包含すると解釈される。
【符号の説明】
【０１２２】
１００：ワイヤレス通信システム
１０２−１０８：ワイヤレス装置
１０２：アクセスポイント（ＡＰ）
１０６：移動ステーション（ＳＴＡ）
２００：ワイヤレス通信システム
３００：ワイヤレス装置
３０２：メモリ
３０４：処理要素
３０６：ワイヤレス通信回路
３０８：アンテナ
【図１】
2015177545.tif 000003
【図２】
2015177545.tif 000004
【図３】
2015177545.tif 000005
【図４】
2015177545.tif 000006
【図５】
2015177545.tif 000007
【図６】
2015177545.tif 000008
【図７】
2015177545.tif 000009
【図８】
2015177545.tif 000010
【図９】
2015177545.tif 000011
【図１０】
2015177545.tif 000012
【図１１】
2015177545.tif 000013
【図１２】
2015177545.tif 000014
【外国語明細書】
2015177545000001.pdf